【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
ユーザからの操作を受け付ける操作部と、
画像信号に応じた光を投射する投射部と、
前記投射部から投射される光の光強度を制御する光強度制御部と、を有し、
前記操作部が第１の操作を受け付けたとき、前記光強度制御部は第１の光強度の光が前記投射部から投射されるように制御し、
前記操作部が前記第１の操作を受け付けた後に第２の操作を受け付けたとき、前記光強度制御部は前記第１の光強度とは異なる第２の光強度の光が前記投射部から投射されるように制御することを特徴とするプロジェクタ。
【請求項２】
前記光強度制御部は、前記第２の光強度が前記第１の光強度よりも大きくなるように制御することを特徴とする請求項１に記載のプロジェクタ。
【請求項３】
前記第１の操作及び前記第２の操作は、前記投射部から光を投射させることを指示する操作であることを特徴とする請求項２に記載のプロジェクタ。
【請求項４】
前記操作部は、前記第１の操作を受け付けてから所定の時間が経過した後に、前記第２の操作を受け付けることを特徴とする請求項２又は３に記載のプロジェクタ。
【請求項５】
前記所定の時間は、略５秒以上であることを特徴とする請求項４に記載のプロジェクタ。
【請求項６】
ユーザに報知すべき報知情報を出力する報知部を更に備え、
前記第１の光強度の光が前記投射部から投射されるときに、
前記報知部は、前記投射部から投射される光に対して注意を促す情報を含む報知情報を出力することを特徴とする請求項２から５のいずれか一項に記載のプロジェクタ。
【請求項７】
前記報知部は、前記報知情報を含む前記第１の光強度の光を前記投射部から投射させることを特徴とする請求項６に記載のプロジェクタ。
【請求項８】
ユーザに情報を表示する表示部を更に備え、
前記報知部は、前記報知情報を前記表示部によって表示させることを特徴とする請求項６又は７に記載のプロジェクタ。
【請求項９】
前記第２の操作における前記操作部が受け付ける操作は、当該第２の操作を受け付ける毎に異なることを特徴とする請求項２から８のいずれか一項に記載のプロジェクタ。
【請求項１０】
前記第１の光強度と前記第２の光強度とのうち少なくとも前記第１の光強度は、ユーザによって設定可能であることを特徴とする請求項２から９のいずれか一項に記載のプロジェクタ。
【請求項１１】
前記投射部は、光を射出する光源部を有し、
前記光強度制御部は、前記光源部から射出される光の光量を調整することによって前記投射部から投射される光の光強度を制御することを特徴とする請求項１から１０のいずれか一項に記載のプロジェクタ。
【請求項１２】
前記光源部から射出される光はレーザ光であることを特徴とする請求項１１に記載のプロジェクタ。
【請求項１３】
前記第１の光強度の光が前記投射部から投射された後に、前記光源部から射出された光の光量の安定度を検証する処理を行うことを特徴とする請求項１２に記載のプロジェクタ。
【請求項１４】
ユーザからの操作を受け付ける操作工程と、
画像信号に応じた光を投射する投射工程と、
前記投射工程において投射される光の光強度を制御する光強度制御工程と、を有し、
前記操作工程において第１の操作が受け付けられたとき、前記光強度制御工程は、第１の光強度の光が前記投射工程によって投射されるように制御し、
前記操作工程において前記第１の操作が受け付けられた後に第２の操作が受け付けられたとき、前記光強度制御工程は、前記第１の光強度とは異なる第２の光強度の光が前記投射工程によって投射されるように制御することを特徴とするプロジェクタの制御方法。
【手続補正２】
【補正対象書類名】明細書
【補正対象項目名】０００６
【補正方法】変更
【補正の内容】
【０００６】
ユーザからの操作を受け付ける操作部と、画像信号に応じた光を投射する投射部と、前記投射部から投射される光の光強度を制御する光強度制御部とを有し、前記操作部が第１の操作を受け付けたとき、前記光強度制御部は第１の光強度の光が前記投射部から投射されるように制御し、前記操作部が前記第１の操作を受け付けた後に第２の操作を受け付けたとき、前記光強度制御部は前記第１の光強度とは異なる第２の光強度の光が前記投射部から投射されるように制御することを特徴とするプロジェクタ。
【手続補正３】
【補正対象書類名】明細書
【補正対象項目名】０００７
【補正方法】変更
【補正の内容】
【０００７】
上記したプロジェクタによれば、操作部がユーザから複数回の操作を受け付けたときに、投射部から投射される光の光強度を各操作に応じて制御する。即ち、各操作によって投射部から投射される光の光強度を、操作毎に可変にすることができる。このため、投射部から高輝度の投射光をいきなり投射するのではなく、各操作の受付順に応じて段階的に光強度を大きくさせて、低輝度から高輝度の光へと制御して投射することができる。これにより、ユーザが投射領域に進入している状態で、操作によって光を投射する場合、いきなり高輝度の光を投射するのではなく、低輝度で安全な光を投射するように制御してユーザに注意を促すことができ、安全上の問題に対処することができる。また、従来技術のように、センサ等を用いてユーザが投射領域にいるか否かを検出する必要がないことから、簡易な構成で、且つ装置に係るコストを抑えて、安全上の問題に対処することができる。
【手続補正４】
【補正対象書類名】明細書
【補正対象項目名】００２２
【補正方法】変更
【補正の内容】
【００２２】
前記第２の操作における前記操作部が受け付ける操作は、当該第２の操作を受け付ける毎に異なることを特徴とするプロジェクタ。
【手続補正５】
【補正対象書類名】明細書
【補正対象項目名】００３２
【補正方法】変更
【補正の内容】
【００３２】
ユーザからの操作を受け付ける操作工程と、画像信号に応じた光を投射する投射工程と、前記投射工程において投射される光の光強度を制御する光強度制御工程とを有し、前記操作工程において第１の操作が受け付けられたとき、前記光強度制御工程は、第１の光強度の光が前記投射工程によって投射されるように制御し、前記操作工程において前記第１の操作が受け付けられた後に第２の操作が受け付けられたとき、前記光強度制御工程は、前記第１の光強度とは異なる第２の光強度の光が前記投射工程によって投射されるように制御することを特徴とするプロジェクタの制御方法。
【手続補正６】
【補正対象書類名】明細書
【補正対象項目名】００３３
【補正方法】変更
【補正の内容】
【００３３】
上記したプロジェクタの制御方法によれば、操作工程においてユーザから複数回の操作を受け付けたときに、投射工程において投射される光の光強度を各操作に応じて制御する。即ち、各操作によって投射工程において投射される光の光強度を、操作毎に可変にすることができる。このため、投射工程において高輝度の投射光をいきなり投射するのではなく、各操作の受付順に応じて段階的に光強度を大きくさせて、低輝度から高輝度の光へと制御して投射することができる。これにより、ユーザが投射領域に進入している状態で、操作によって光を投射する場合、いきなり高輝度の光を投射するのではなく、低輝度で安全な光を投射するように制御してユーザに注意を促すことができ、安全上の問題に対処することができる。また、従来技術のように、センサ等を用いてユーザが投射領域にいるか否かを検出する必要がないことから、簡易な構成で、且つ装置に係るコストを抑えて、安全上の問題に対処することができる。